(57)【要約】【課題】ＦＯコードを小型化して単心分岐部を効率良く収納することができる光ファイバ収納部品および光ファイバ収納ユニットを提供する。【解決手段】本発明の光ファイバ収納部品（融着トレイ）２０は、光ファイバテープ心線４１，４３の余長を収納可能なトレイ本体２１の出口２４近傍に、光ファイバテープ心線４３を単心に分岐させた単心分岐部（ＦＯ分岐部）４４を取り付け可能であることを特徴とする。【選択図】　　図３
2004053989.tif 000002
【特許請求の範囲】
【請求項１】
光ファイバテープ心線の余長を収納可能なトレイ本体の出口近傍に、前記光ファイバテープ心線を単心に分岐させた単心分岐部を取り付け可能であることを特徴とする光ファイバ収納部品。
【請求項２】
前記単心分岐部は、前記光ファイバテープ心線と、
前記光ファイバテープ心線から露出した複数の光ファイバ素線と、
前記露出した部分を残しながら前記光ファイバ素線に対して樹脂が各々被覆された複数の単心光ファイバ心線とが、
前記光ファイバ素線の露出した部分を中心に、前記露出した部分近傍の前記光ファイバテープ心線と、前記露出した部分近傍の前記単心光ファイバ心線とに亙るように、接着剤を介して熱収縮チューブにより一括固定された構成であることを特徴とする請求項１に記載の光ファイバ収納部品。
【請求項３】
前記単心分岐部を取り付け可能な単心分岐部固定手段が、前記トレイ本体に対して着脱可能に設けられていることを特徴とする請求項１または２に記載の光ファイバ収納部品。
【請求項４】
前記単心分岐部固定手段は、複数の前記単心分岐部を着脱可能であることを特徴とする請求項３に記載の光ファイバ収納部品。
【請求項５】
請求項１〜４のいずれかに記載の光ファイバ収納部品を複数収納可能であり、前記光ファイバ収納部品を着脱自在である収納棚を有することを特徴とする光ファイバ収納ユニット。
【請求項６】
前記光ファイバ収納部品は、前記収納棚に対してスライド移動によって着脱自在であるとともに、
前記収納棚に収納された状態で、前記単心分岐部固定手段が、前記スライド移動と直交する方向に前記収納棚の外側へ突出する構成であることを特徴とする請求項５に記載の光ファイバ収納ユニット。
【発明の詳細な説明】
【０００１】
【発明の属する技術分野】
本発明は、光ファイバ収納部品および光ファイバ収納ユニットに関し、さらに詳しくは、局内装置において光ファイバケーブルから分岐した光ファイバテープ心線の余長を収納可能な光ファイバ収納部品および光ファイバ収納ユニットに関する。
【０００２】
【従来の技術】
一般に、ＦＴＴＨ（Ｆｉｂｅｒ　Ｔｏ　Ｔｈｅ　Ｈｏｍｅ）等の光ファイバ通信網では、多数の光ファイバテープ心線を収納した光ファイバケーブルを、光接続により複数の単心光ファイバへ分岐させる光基地局が設置されている。この光基地局では、局内装置である光接続箱を用いて、例えば光ファイバケーブルから分岐させた光ファイバテープ心線を、単心に分離させてコネクタに接続させている。
【０００３】
図７に示すように、従来の光接続箱１００は、架１０１の中に、融着接続部１０２とＦＯ（ファンアウト）コード収納部１０３とコネクタ接続部１０４とを備えている。
融着接続部１０２は、光基地局に導入された光ファイバケーブル１１０を、被覆を除去した状態で固定し、光ファイバケーブル１１０内の光ファイバテープ心線１１１を露出させている。この光ファイバケーブル１１０は、例えば８心の光ファイバテープ心線１１１を１００本収納した８００心型のケーブルであり、例えばそのうちの１６０心（２０本）が融着トレイ１０５に収められる。
一方、光ファイバケーブル１１０の残りの６４０心（８０本）は、通過心線１１７であり、その余長は光ファイバテープ心線の状態で通過心線トレイ１０６に収められる。通過心線トレイ１０６を通過した通過心線１１７は、被覆された状態の光ファイバケーブル１１８となり、他の光接続箱や基地局へと配線される。
【０００４】
また、光ファイバテープ心線１１１は、ＦＯコード１１３のテープコード部１１４に融着された状態で融着トレイ１０５に収納される。ＦＯコード１１３は、テープコード部１１４とＦＯ分岐部１１５と単心コード部１１６からなり、単心コード部１１６の先端に装着されたコネクタ（図示せず）が、コネクタ接続部１０４の各モジュラーに接続されている。
【０００５】
テープコード部１１４は、光ファイバテープ心線１１１と同心数の光ファイバテープ心線を有し、強度を確保するために、光ファイバテープ心線の周囲に抗張力体が配置され、さらにその周囲がＰＶＣ樹脂により被覆されている。また、その一端は、光ファイバテープ心線１１１と一括に融着接続されて融着トレイ１０５に収納されている。
【０００６】
テープコード部１１４の他端には、円筒状のＦＯ分岐部（単心分岐部）１１５が設けられ、テープコード部１１４の抗張力体とＰＶＣ樹脂とを相互に固定している。また、ＦＯ分岐部１１５の内部では、テープコード部１１４の光ファイバテープ心線が単心分離されて、複数の単心コード部１１６に分岐されている。単心コード部１１６は、光ファイバ素線にチューブが被覆された単心のコードである。このＦＯ分岐部１１５は、ＦＯコード収納部１０３に個々に固定されて収納される。
【０００７】
なお、上述したように、融着トレイ１０５には２０本の光ファイバテープ心線１１１が収められている。１本の光ファイバテープ心線１１１につき、１組のＦＯコード１１３が接続されるので、この光接続箱１００にはＦＯコード１１３が２０本備えられている。
また、通過心線１１７を設けずに、光ファイバケーブル１１１の全ての光ファイバテープ心線をＦＯコード１１３に接続する場合もあり、その際は１００本のＦＯコード１１３が必要となる。
【０００８】
【発明が解決しようとする課題】
ところで、テープコード部１１４は、強度を確保するために抗張力体とＰＶＣ樹脂を備えている。そのため、テープコード部１１４の径が太くなってしまい、ＦＯコード収納部１０３に収納する際の収納効率が低い。
また、テープコード部１１４の抗張力体とＰＶＣ樹脂を相互に固定するためのＦＯ分岐部１１５を設けることが必要となっている。ＦＯ分岐部１１５はテープコード部１１４の大きさに伴って、例えば長さが１１０ｍｍ、外径が１２ｍｍである。そのため、上記のようにＦＯコード１１３を多数必要とする場合には、テープコード部１１４を収納するスペースを大きく設ける必要があり、さらに、ＦＯ分岐部１１５を固定してＦＯコード１１３を収納するためのスペースを大きく設ける必要がある。したがって、ＦＯコード収納部１０３を大きく設けなければならなかった。
また、テープコード部１１４として抗張力体とＰＶＣ樹脂を用いるために、ＦＯコード１１３の製造コストが高価になっていた。
【０００９】
本発明は、上記の課題を解決するためになされたものであり、ＦＯコードを小型化して単心分岐部を効率良く収納することができる光ファイバ収納部品および光ファイバ収納ユニットを提供することを目的とする。
【００１０】
【課題を解決するための手段】
上記目的を達成するための本発明に係る光ファイバ収納部品は、光ファイバテープ心線の余長を収納可能なトレイ本体の出口近傍に、光ファイバテープ心線を単心に分岐させた単心分岐部を取り付け可能であることを特徴とする。
【００１１】
このような構成の光ファイバ収納部品は、光ファイバテープ心線を単心に分岐させた単心分岐部をトレイ本体の出口近傍に取り付けることができるので、光ファイバテープ心線を補強する必要がない。すなわち、光ファイバテープ心線の周囲に抗張力体やＰＶＣ樹脂などを被覆する必要がないため、光ファイバテープ心線を分岐させる単心分岐部を従来に比べて小型化することができる。
したがって、単心分岐部の収納効率を上げることができる。
また、抗張力体やＰＶＣ樹脂などを使用せずに済むため、ＦＯコードの製造コストを低く抑えることができる。
【００１２】
また、単心分岐部は、光ファイバテープ心線と、光ファイバテープ心線から露出した複数の光ファイバ素線と、露出した部分を残しながら光ファイバ素線に対して樹脂が各々被覆された複数の単心光ファイバ心線とが、光ファイバ素線の露出した部分を中心に、露出した部分近傍の光ファイバテープ心線と、露出した部分近傍の単心光ファイバ心線とに亙るように、接着剤を介して熱収縮チューブにより一括固定された構成であることが望ましい。
【００１３】
これにより、単心分岐部の外径を、光ファイバテープ心線に熱収縮チューブを被覆した外径とすることができる。したがって、単心分岐部を従来に比べて小型化することが容易であるため、単心分岐部の収納効率を効果的に上げることができる。
【００１４】
また、単心分岐部を取り付け可能な単心分岐部固定手段が、トレイ本体に対して着脱可能に設けられていることが望ましい。
【００１５】
このような構成の光ファイバ収納部品によれば、トレイ本体に収納した光ファイバテープ心線を分岐させない場合であっても、単心分岐部固定手段を適宜取り外すことによって、単心分岐部固定手段に煩わされることがなく光ファイバテープ心線を収納および配線することができる。
【００１６】
また、単心分岐部固定手段は、複数の単心分岐部を着脱可能であることが望ましい。
【００１７】
このような構成の光ファイバ収納部品によれば、複数の単心分岐部を適宜着脱して、所望の本数の光ファイバテープ心線を適宜取り扱うことが容易となる。例えば、光ファイバテープ心線を増設する場合にも容易に対応することができる。
【００１８】
また、上記目的を達成するための本発明に係る光ファイバ収納ユニットは、上記の光ファイバ収納部品を複数収納可能であり、光ファイバ収納部品を着脱自在である収納棚を有することを特徴とする。
【００１９】
このような構成の光ファイバ収納ユニットによれば、要望に応じて光ファイバ収納部品を容易に追加あるいは撤去することができる。
【００２０】
また、光ファイバ収納ユニットの光ファイバ収納部品は、収納棚に対してスライド移動によって着脱自在であるとともに、収納棚に収納された状態で、単心分岐部固定手段が、スライド移動と直交する方向に収納棚の外側へ突出する構成であることが望ましい。
【００２１】
このような構成の光ファイバ収納ユニットによれば、単心分岐部固定手段に、収納棚に収納されるための構造を設ける必要がない。また、収納棚に対して光ファイバ収納部品を容易にスライド移動させることができる。
【００２２】
【発明の実施の形態】
以下、本発明に係る光ファイバ収納部品および光ファイバ収納ユニットの一実施形態を図１〜図６に基づいて説明する。
図１は、本発明に係る光ファイバ収納部品および光ファイバ収納ユニットを有する光接続箱を示す正面図である。図２は、図１のトレイ棚を示す斜視図である。図３は、図１の融着トレイにＦＯコードを装着した状態を示す斜視図である。図４は図３のＦＯ分岐固定部を示す図であり、（ａ）は上面図、（ｂ）は（ａ）のＸ−Ｘ線の断面図である。図５は、図４のＦＯ分岐固定部にＦＯ分岐部を固定した状態を示す上面図である。図６は、図５に示したＦＯ分岐部を示す断面図である。
【００２３】
本実施形態の光ファイバ収納部品（以下、融着トレイと呼ぶ）は、光ファイバテープ心線を単心に分岐させたＦＯ分岐部を小型化して、さらに光ファイバテープ心線の余長を収納可能なトレイ本体の出口近傍に、複数のＦＯ分岐部を取り付け可能なＦＯ分岐固定部を備えていることを特徴としている。
また、本実施形態の光ファイバ収納ユニットは、融着トレイを複数収納および取り出し可能な収納棚（以下、トレイ棚と呼ぶ）を有することを特徴としている。
【００２４】
図１に示すように、光接続箱１０は、架１１の中に、光ファイバ収納ユニット１２とコネクタ接続部６０とを備えている。
光ファイバ収納ユニット１２は、架１１に装着されるフレーム１４と、このフレーム１４の内壁に設けられたトレイ棚１３とを有している。トレイ棚１３には、光ファイバテープ心線の余長および融着部を収納可能な融着トレイ２０が収納される。
コネクタ接続部６０は、例えば光伝送装置として用いられ、単心の光ファイバに装着されたコネクタを多数接続可能である。
【００２５】
光ファイバ収納ユニット１２の一部を構成するトレイ棚１３について説明する。
図１および図２に示すように、トレイ棚１３は、左右の両側端に支持梁１８が７本づつ形成されており、前方（矢印Ａ方向）から融着トレイ２０をスライド移動させて６つ収納することができる。また、通過心線トレイ１９を用いて、光ファイバケーブル４０から分岐した通過心線４１ａを収納することが可能である。通過心線４１ａは、光ファイバケーブル４０ａとして、他の光接続箱や基地局へと配線される。
なお、本実施形態の光ファイバケーブル４０は、８心の光ファイバテープ心線４１を１００本収納した８００心型のケーブルであり、このうちの１６０心（２０本）が融着トレイ２０に収められる。
【００２６】
トレイ棚１３は、架１１の内側に収納されるべく、架１１に装着することが可能なフレーム１４の内壁に固定されている。フレーム１４の前方の両側端部には、ねじ止めするための切り欠きを有するマウント部１５が形成されており、フレーム１４を架１１に固定することができる。
また、フレーム１４の一方の側壁の内側には、光基地局内に導入した光ファイバケーブル４０を把持して固定するためのケーブル固定部１６が設けられ、他方の側壁の内側には、単心に分岐した光ファイバ心線４８をガイドするためのクランプ１７が設けられている。
【００２７】
光ファイバ収納ユニット１２の一部を構成する融着トレイ２０について説明する。
図１および図３に示すように、上述したトレイ棚１３に収納される融着トレイ２０は、光ファイバテープ心線４１，４３を収納することが可能なトレイ本体２１と、ＦＯコード４９のＦＯ分岐部（単心分岐部）４４を固定することが可能なＦＯ分岐固定部（単心分岐部固定手段）３０から構成されている。
また、融着トレイ２０は、トレイ棚１３に対してスライド移動して、着脱自在に収納されるとともに、トレイ棚１３に収納された状態で、ＦＯ分岐固定部３０が、トレイ棚の外側（図中右方）へ突出する構成である。
【００２８】
トレイ本体２１は、薄板状のプレートに枠２２が設けられた筐体であって、プラスチックまたは金属により形成されている。枠２２によって画成された余長収納部２５は、入口２３から導入した光ファイバテープ心線４１と、出口２４から導入したＦＯコード４９の光ファイバテープ心線４３を収納するためのスペースである。収納された光ファイバテープ心線４１，４３の余長は、光ファイバテープ心線４１，４３を相互に融着接続する際の作業性を確保するものである。光ファイバテープ心線４１，４３の融着接続を行った場合には、余長収納部２５内に形成された融着固定部２６にその融着部４２が固定される。
なお、光ファイバテープ心線４３は、光ファイバテープ心線４１と同一の構造を有している。
【００２９】
また、枠２２には、余長収納部２５に収納された光ファイバテープ心線４１，４３が上方へ飛び出すことを防ぐために、爪２７が複数形成されている。
さらに、余長収納部２５の中央部分には、収納された光ファイバテープ心線４１，４３に小径の曲げが付加されることを防ぐために、曲げ防止部材２８が設けられている。これによって、融着トレイ２０をトレイ棚１３に収納するときなどに光ファイバテープ心線４１，４３が動いても、光ファイバテープ心線４１，４３に規定の直径以下の曲げが発生することがなく、伝送損失の増加を防いで高品質の光伝送路が保証される。
なお、本実施形態では、曲げ防止部材２８によって最低曲げ直径６０ｍｍを保証している。
【００３０】
図３〜図５に示すように、ＦＯ分岐固定部（単心分岐部固定手段）３０は、トレイ本体２１の出口２４の近傍に取り付けられている。このＦＯ分岐固定部３０は、平板状に形成された固定部３１の固定孔３２にねじ等を通すことで、トレイ本体２１に対して着脱可能に固定することが可能である。また、固定部３１は、出口２４等に係合するスナップ機構を備えることで、トレイ本体２１に対して着脱可能としても良い。
【００３１】
また、ＦＯ分岐固定部３０は、固定部３１から連続した平板状に形成されているとともに、収納される光ファイバテープ心線４３の側方に位置する端部から立ち上がるように形成された２つの縁部３３を有している。２つの縁部３３の間には、複数のリブ３５が平行に設けられている。この複数のリブ３５の間隙、および縁部３３との間隙は、固定溝３６であり、それぞれ１つの固定溝３６に２つのＦＯ分岐部４４を積層させて着脱可能な状態で固定することができる。本実施形態では、リブ３５が９つ設けられており、これにより１０箇所の固定溝３６が形成されている。したがって、本実施形態のＦＯ分岐固定部３０は、最大で２０本のＦＯ分岐部４４を平行に固定することができる。
【００３２】
また、所望の本数のＦＯ分岐部４４を固定溝３６に固定したときには、縁部３３に形成された凹部３４に、押さえ部材３７を装着する。これにより、固定したＦＯ分岐部４４がＦＯ分岐固定部３０から外れてしまうことを防止することができる。
【００３３】
また、図３に示すように、本実施形態のＦＯコード４９は、光ファイバテープ心線４３と、この光ファイバテープ心線４３を分岐した単心の光ファイバ心線４８と、光ファイバテープ心線４３と光ファイバ心線４８とを相互に固定するＦＯ分岐部４４とから構成されている。また、光ファイバ心線４８は、上記のコネクタ接続部６０のモジュラーに接続するために、コネクタ５０が装着されている。
【００３４】
ＦＯコード４９の一部を構成するＦＯ分岐部（単心分岐部）４４について説明する。
図３および図６に示すように、ＦＯ分岐部４４は、光ファイバテープ心線４３と、光ファイバテープ心線４３から分岐した単心の光ファイバ心線４８を相互に固定する部材である。
ＦＯ分岐部４４の光ファイバテープ心線４３は、所望の箇所から先端までを、複数の光ファイバ素線４７を連結したテープ外被を除去して分岐させている。分岐した光ファイバ素線４７は、テープ外被から所定の間隔をあけて露出した部分を設けた状態で、それぞれ樹脂のチューブ（外径０．９ｍｍ）を被覆して、単心の光ファイバ心線４８としている。
【００３５】
これらの光ファイバテープ心線４３、複数の光ファイバ素線４７、複数の光ファイバ心線４８は、内側にホットメルト接着剤４６を有する熱収縮チューブ４５により一括固定されている。この熱収縮チューブ４５は、光ファイバ素線４７の露出した部分を中心に、露出した部分近傍の光ファイバテープ心線４３と、露出した部分近傍の光ファイバ心線４８とに亙るように被覆される。熱収縮チューブ４５を外側から加熱すると、ホットメルト接着剤４６が軟化するとともに熱収縮チューブ４５が収縮して、光ファイバテープ心線４３、複数の光ファイバ素線４７、複数の光ファイバ心線４８が一括固定されてＦＯ分岐部４４が形成される。
【００３６】
本実施形態のＦＯコード４９のように、光ファイバテープ心線４３が８心の場合は、熱収縮チューブ４５の熱収縮した状態の大きさを、外径４ｍｍ、長さ２０ｍｍとすることができる。
本発明に係るＦＯコードは、従来のように光ファイバテープ心線の周囲に抗張力体やＰＶＣ樹脂を被覆したテープコード部を用いずに、ＦＯ分岐部を光ファイバテープ心線に直接設けた態様としている。そのため、本発明に係るＦＯ分岐部は、従来のＦＯ分岐部に比べて大幅な小型化を図ることができる。
【００３７】
【発明の効果】
以上説明したように本発明の光ファイバ収納部品によれば、光ファイバテープ心線の周囲に抗張力体やＰＶＣ樹脂などを被覆する必要がないため、光ファイバテープ心線を分岐させる単心分岐部を従来に比べて小型化することができる。
したがって、単心分岐部の収納効率を上げることができる。
また、抗張力体やＰＶＣ樹脂などを使用せずに済むため、ＦＯコードの製造コストを低く抑えることができる。
また、本発明の光ファイバ収納ユニットによれば、要望に応じて光ファイバ収納部品を容易に追加あるいは撤去することができる。
【図面の簡単な説明】
【図１】本発明に係る光ファイバ収納ユニットを有する光接続箱を示す正面図である。
【図２】図１の融着接続部を示す斜視図である。
【図３】図１の融着トレイにＦＯコードを装着した状態を示す斜視図である。
【図４】図３のＦＯ分岐固定部を示す図であり、（ａ）は上面図、（ｂ）は（ａ）のＸ−Ｘ線の断面図である。
【図５】図４のＦＯ分岐固定部にＦＯ分岐部を固定した状態を示す上面図である。
【図６】図５に示したＦＯ分岐部を示す断面図である。
【図７】従来の光ファイバ収納ユニットを有する光接続箱を示す正面図である。
【符号の説明】
１０　　光接続箱
１１　　架
１２　　光ファイバ収納ユニット
１３　　トレイ棚（収納棚）
１４　　フレーム
２０　　融着トレイ（光ファイバ収納部品）
２１　　トレイ本体
２４　　出口
２５　　余長収納部
２６　　融着固定部
２７　　爪
２８　　曲げ防止部材
３０　　ＦＯ分岐固定部（単心分岐部固定手段）
３５　　リブ
３６　　固定溝
３７　　押さえ部材
４０　　光ファイバケーブル
４１　　光ファイバテープ心線
４２　　融着部
４３　　光ファイバテープ心線
４４　　ＦＯ分岐部（単心分岐部）
４５　　熱収縮チューブ
４６　　ホットメルト接着剤
４７　　光ファイバ素線
４８　　光ファイバ心線（単心光ファイバ心線）
４９　　ＦＯコード
５０　　コネクタ
６０　　コネクタ接続部
【図１】
2004053989.tif 000003
【図２】
2004053989.tif 000004
【図３】
2004053989.tif 000005
【図４】
2004053989.tif 000006
【図５】
2004053989.tif 000007
【図６】
2004053989.tif 000008
【図７】
2004053989.tif 000009